(57)【要約】  携帯用超音波イメージングデバイスおよび／または他の医療機器をスタンドヘッドおよび他の支持構造に安全にドッキングするための装置および方法が本明細書に開示される。いくつかの実施形態では、携帯用イメージングデバイスはスタンドヘッド上の一または二以上のラッチ機構と嵌合させるためにハンドルを回転させることによりユーザがイメージングデバイスをスタンドヘッドに容易に固定することを可能にする可動式の運搬用ハンドルを含むことができる。ユーザは、一または二以上のラッチを解除すること、およびハンドルを反対方向に回転させることにより、別の場所へ輸送させるためにスタンドヘッドからイメージングデバイスを迅速に取り外すことができる。新しい場所にスタンドヘッドまたは他のドッキング構造が無い場合、ユーザは、ハンドルを下向きに回転させ、デスクトップまたは他の構造での使用を容易にするためにデバイスの背面部を高くするスタンドとして機能させることができる。【選択図】図１Ｃ
2021533939.tif 000002
【特許請求の範囲】
【請求項１】
超音波イメージングシステムであって、
支持体と、
前記支持体に動作可能に取り付けられるように構成された携帯用超音波デバイスであって、前記携帯用超音波デバイスは第一の位置と第二の位置との間で可動である運搬用ハンドルを有し、前記携帯用超音波デバイスが前記支持体に動作可能に取り付けられている場合、
前記携帯用超音波デバイスを前記支持体に固定するために前記第一の位置から前記第二の位置までの前記ハンドルの動きが前記ハンドルを前記支持体に嵌合させ、
前記携帯用超音波デバイスを前記支持体から取り外すことを可能にするために前記第二の位置から前記第一の位置までの前記ハンドルの動きが前記支持体から前記ハンドルを解除する、
携帯用超音波デバイスと、
を備える、超音波イメージングシステム。
【請求項２】
前記支持体および前記運搬用ハンドルのうち少なくとも一つは嵌合機能を含み、前記携帯用超音波デバイスが前記支持体に動作可能に取り付けられている場合、前記ハンドルを前記第二の位置に拘束するために前記第一の位置から前記第二の位置までの動きが前記嵌合機能を自動的に作動させる、請求項１に記載の超音波イメージングシステム。
【請求項３】
前記支持体および前記運搬用ハンドルのうち少なくとも一つはラッチ機構を含み、前記携帯用超音波デバイスが前記支持体に動作可能に取り付けられている場合、前記ハンドルを前記第二の位置に拘束するために前記第一の位置から前記第二の位置までの前記ハンドルの動きが前記ラッチ機構を自動的に作動させる、請求項１に記載の超音波イメージングシステム。
【請求項４】
前記第一の位置は第一のハンドル位置にあり、前記第二の位置は第二のハンドル位置にあり、
前記支持体は嵌合部材および解放部材を有するラッチ機構を含み、
前記第一のハンドル位置から前記第二のハンドル位置までの前記ハンドルの回転が、前記ハンドルを前記ラッチ機構と嵌合させ、前記ハンドルが前記第二のハンドル位置から前記第一のハンドル位置まで回転することを防ぐために前記支持体に動作可能に取り付けられた前記携帯用超音波デバイスを用いて前記嵌合部材を作動させ、
第一の解放部材位置から第二の解放部材位置までの前記解放部材の動きにより、前記ハンドルを解除し、前記ハンドルが前記第二のハンドル位置から前記第一のハンドル位置まで回転することを可能にするために前記嵌合部材を格納する、
請求項１に記載の超音波イメージングシステム。
【請求項５】
前記支持体、前記携帯用超音波デバイス、および前記運搬用ハンドルのうち少なくとも一つは前記ハンドルが前記第二の位置から前記第一の位置まで回転することを防ぐために前記ハンドルが前記第一の位置から前記第二の位置まで回転するときに前記ハンドルを前記支持体に自動的にラッチするための手段を含み、
前記支持体、前記携帯用超音波デバイス、および前記運搬用ハンドルのうち少なくとも一つは前記ハンドルが前記第二の位置から前記第一の位置まで回転することを可能にするためにラッチするための前記手段を手動で解放するための手段を含む、
請求項１に記載の超音波イメージングシステム。
【請求項６】
前記携帯用超音波デバイスはクラムシェル構成において下側部分に枢動可能に結合された上側部分を含み、前記上側部分はディスプレイを含み、前記上側部分はユーザが前記ディスプレイを見るために前記下側部分から離れて回転する、請求項１に記載の超音波イメージングシステム。
【請求項７】
前記運搬用ハンドルは少なくとも一つの突起を含み、
前記支持体は
前記ハンドルが前記第一の位置から前記第二の位置まで回転するときに前記ハンドルを受けるように構成された凹部と、
前記凹部に近接して動作可能に配置されたラッチ部材を有する少なくとも一つのラッチ機構と、
を含み、
前記ハンドルの前記第一の位置から前記第二の位置までの回転は、前記ラッチ部材を通過し、前記ラッチ部材が前記延在する位置に戻ることおよび前記突起が前記凹部から移動するのを阻止することを可能にする前に、前記突起により前記ラッチ部材を延在する位置から格納する位置まで押し下げる、
請求項１に記載の超音波イメージングシステム。
【請求項８】
前記ラッチ機構は前記延在する位置および前記格納する位置のうち少なくとも一つにおいて前記ラッチ部材を選択的にロックするように動作可能なロック機能をさらに含む、請求項７に記載の超音波イメージングシステム。
【請求項９】
前記ハンドルに動作可能に接続されたセンサをさらに備え、前記センサは前記ハンドルが前記超音波デバイスの使用前に前記第二の位置にない場合に警報を提供するように構成される、請求項１に記載の超音波イメージングシステム。
【請求項１０】
超音波イメージングシステムであって、
携帯用超音波デバイスであって、
後縁部分と反対側の前縁部分を有するベースと、
前記後縁部分に近接する前記ベースに枢動可能に結合されたディスプレイスクリーンと、
前記後縁部分に近接する前記ベースに枢動可能に結合された運搬用ハンドルであって、前記ハンドルは前記ベースに対して第一の位置から第二の位置まで回転可能である、運搬用ハンドルと、
を含む、携帯用超音波デバイスと、
後縁部分と反対側の前縁部分を有する支持体であって、前記支持体は、
前記支持体の前記前縁部分と前記後縁部分との間に配置された凹部であって、前記凹部は前記第一の位置に前記ハンドルがある前記ベースを受けるように構成される、凹部と、
前記支持体の前記後縁部分に近接する少なくとも一つのラッチであって、前記第一の位置から前記第二の位置までのハンドルの回転は前記携帯用超音波デバイスを前記支持体に固定するために前記ハンドルを前記ラッチと自動的に嵌合させる、少なくとも一つのラッチと、
をさらに含む、支持体と、
を備える、超音波イメージングシステム。
【請求項１１】
前記ハンドルは前記携帯用超音波デバイスの前記後縁部分に平行に延在する軸に関して回転可能である、請求項１０に記載の超音波イメージングシステム。
【請求項１２】
前記ベースは平面を画定する下面を含み、
前記第一の位置において、前記ハンドルは前記平面から第一の距離だけ離隔され、
前記第二の位置において、前記ハンドルは前記平面から前記第一の距離よりも大きい第二の距離だけ離隔される、
請求項１０に記載の超音波イメージングシステム。
【請求項１３】
前記第二の位置において、前記ハンドルは前記平面に対して傾斜する、請求項１２に記載の超音波イメージングシステム。
【請求項１４】
前記ハンドルは前記第一の位置から前記第二の位置まで移動する際に４５度から１２５度の角度で回転する、請求項１０に記載の超音波イメージングシステム。
【請求項１５】
前記支持体は床に配置するように構成されたベースを含む、請求項１０に記載の超音波イメージングシステム。
【請求項１６】
支持体は壁に取り付けるように構成されたベースを含む、請求項１０に記載の超音波イメージングシステム。
【請求項１７】
クラムシェル構成において下側部分に枢動可能に結合された上側部分を有する携帯用医療機器を操作するための方法であって、
前記携帯用医療機器の運搬用ハンドルを第一の位置に配置することと、
前記第一の位置にある前記ハンドルを用いて、前記携帯用医療機器を支持体に動作可能に配置することと、
前記ハンドルを前記支持体にしっかりと固定し、前記携帯用医療機器が前記支持体から取り外されるのを防ぐために、前記ハンドルを前記第一の位置から第二の位置まで回転させることと、
を含む、方法。
【請求項１８】
前記ハンドルの前記第一の位置から前記第二の位置までの回転の後に、前記上側部分を前記下側部分から離して回転させることにより前記携帯用医療機器を使用するために開くことをさらに含む、請求項１７に記載の方法。
【請求項１９】
前記ハンドルを前記支持体にしっかりと結合させることの後に、前記ハンドルを前記支持体から解除するために前記ハンドルを前記第二の位置から前記第一の位置まで回転させることと、
前記ハンドルを用いて前記携帯用医療機器を前記支持体から離して運搬することと、
をさらに含む、請求項１７に記載の方法。
【請求項２０】
前記支持体はラッチ機構を含み、
前記ハンドルを前記第一の位置から前記第二の位置まで回転させることにより前記ハンドルを前記ラッチ機構と嵌合させ、
前記方法は前記ハンドルを前記支持体から解除するために前記ハンドルを前記第二の位置から前記第一の位置まで回転させる前に前記ラッチを手動で解除することをさらに含む、
請求項１７に記載の方法。
【発明の詳細な説明】
【技術分野】
【０００１】
本開示技術は一般にスタンドまたはウォールユニットに動作可能に取り付けることのできる携帯用医療機器およびシステムに関し、特には、本開示技術は超音波イメージングデバイスおよび他の医療機器の輸送、ドック保持、およびデスクトップ配置のためのハンドルシステムに関する。
【背景技術】
【０００２】
超音波イメージングシステム等の携帯用医療機器は「ゼロフットプリントアーム（ｚｅｒｏ  ｆｏｏｔｐｒｉｎｔ  ａｒｍ）」等の床に取り付けられたスタンドまたは壁に取り付けられた構造にドッキングされているときにしばしば使用される。可動スタンドおよびゼロフットプリントアームは例えば、手術室または他の病院環境での処置の間にイメージングシステムを有利に配置することができるように可動域を提供することができる。加えて、そのような取付け構造はまたイメージングデバイスを再充電するための電気的接続を提供することができる。スタンドまたはアームに取り付けることに加えて、多くのイメージングシステムは持ち運び可能であり、取付け構造から容易に取り外して例えば通常の病院環境以外の場所での診断検査を実行するために他の場所に手で運ぶことができる。
【０００３】
従来のイメージングデバイスは典型的に使用のためにイメージングデバイスを支持構造（例えば、床スタンド）に固定するため、支持構造上にラッチまたは同様のデバイスを含む。しかしながら、この方法の一つの欠点はラッチの位置および動作がユーザに容易に明らかでない可能性があり、その結果、ユーザは使用前にデバイスを適切に固定することに不注意で失敗する可能性があることである。これにより支持構造の回転または他の動きの間にデバイスが落下するか、そうでなければ変位する可能性が生じる。したがって、構造に適切に取り付けられた当然の結果として、スタンドまたは他のドッキング構造に自動的に、またはそうでなければ容易に固定することのできる携帯用超音波イメージングシステムおよび他の携帯用医療機器を提供することが有利であろう。さらに、そのようなシステムに、スタンドから迅速かつ容易に切り離して診断または他の処置のために例えばデスクトップまたは他の表面で使用するために別の場所に手で運ぶ能力を提供することも有利であろう。
【図面の簡単な説明】
【０００４】
【図１Ａ】本技術の実施形態に従って構成された携帯用超音波イメージングデバイスおよび対応する支持構造を有する超音波イメージングシステムの一連の等角図である。
【図１Ｂ】本技術の実施形態に従って構成された携帯用超音波イメージングデバイスおよび対応する支持構造を有する超音波イメージングシステムの一連の等角図である。
【図１Ｃ】本技術の実施形態に従って構成された携帯用超音波イメージングデバイスおよび対応する支持構造を有する超音波イメージングシステムの一連の等角図である。
【図２Ａ】図２Ａは二つの異なる位置にあるデバイスのハンドルを備えた図１Ａ−図１Ｃの携帯用超音波イメージングデバイスの上部背面等角図である。
【図２Ｂ】図２Ｂは二つの異なる位置にあるデバイスのハンドルを備えた図１Ａ−図１Ｃの携帯用超音波イメージングデバイスの上部背面等角図である。
【図２Ｃ】図２Ｃはハンドルに関連付けられた所定の特徴をよりよく説明するために背面パネルが取り外された状態の、デバイスの上部背面等角図である。
【図２Ｄ】図２Ｄは本技術の実施形態に従って構成されたデバイスの下部前面等角図である。
【図３】本技術の実施形態に従って構成された図１Ａ−図１Ｃからのスタンドヘッドの下部背面等角図である。
【図４Ａ】図４Ａは本技術の実施形態に従って構成された第一のラッチ機構を示す図３のスタンドヘッドの一部の拡大された下部背面等角図である。
【図４Ｂ】図４Ｂはそれぞれ説明のためにスタンドヘッドハウジングが取り外された状態のラッチ機構の上部背面等角図である。
【図４Ｃ】図４Ｃはそれぞれ説明のためにスタンドヘッドハウジングが取り外された状態のラッチ機構の断面上部背面等角図である。
【図５】本技術の実施形態に従って構成された第二のラッチ機構を示す図３のスタンドヘッドの別の部分の拡大された下部背面等角図である。
【図６Ａ】図６Ａは図３−図５のスタンドヘッドへのドッキングの初期段階における図２Ａ−図２Ｄの携帯用超音波イメージングデバイスの断面側面図である。
【図６Ｂ−６Ｃ】図６Ｂおよび図６Ｃは図５の第二のラッチ機構を備えたイメージングデバイスハンドルの嵌合を示す拡大された断面側面図である。図６Ｄは本技術の実施形態による図３−図５の第一および第二のラッチ機構と嵌合するイメージングデバイスハンドルの部分的に切り取られた背面図である。
【図６Ｄ】図６Ｄは本技術の実施形態による図３−図５の第一および第二のラッチ機構と嵌合するイメージングデバイスハンドルの部分的に切り取られた背面図である。
【図７】本技術の実施形態に従って構成された携帯用超音波イメージングシステムを使用する方法を示すフロー図である。
【発明を実施するための形態】
【０００５】
以下の開示は、携帯用超音波イメージングデバイスおよび他の医療機器のドック保持、輸送およびデスクトップ配置のためのシステムおよび関連する方法の様々な実施形態を説明する。いくつかの実施形態では、本明細書に記載の携帯用超音波イメージングデバイスは異なる構成において異なるタイプのユーザが容易に使用できるようにする持ち運び用ハンドルおよび他の特徴を含む。例えば、いくつかの構成では、デバイスは処置の間に使用するために病室または同様の環境において可動床スタンドまたは壁に取り付けられたアームにドッキングすることができる。別の構成では、デバイスのドッキングを容易に解除し、それを必要とする別の場所へ運び、使用するために事実上あらゆる水平面に設置することができる。
【０００６】
以下でより詳細に説明するように、いくつかの実施形態では、デバイスは上記の機能性の多くを提供する可動ハンドルを含む。例えば、携帯用デバイスをデスクトップまたは他の平面に設置する場合、デバイスの後部を持ち上げるためのハンドルを配置することができる。デバイスがクラムシェル配置で制御パネルに枢動可能に接続されたディスプレイスクリーンを含む実施形態では、前述の方法でデバイスの背面部を高くすることによりユーザは制御パネルに人間工学的にアクセスできるようになり、ディスプレイスクリーンを見ることが容易になる。さらに、いくつかの実施形態では、少なくともデバイスの背面部を取付け面より高くすることにより、対流冷却を容易にし、内部電気部品（例えば、ＣＰＵ、ＧＰＵ等）の熱性能を改善する空間を作ることができる。さらなる実施形態では、デバイスはまたハンドルを支持構造上の一または二以上の嵌合機能（例えば、ラッチ）と自動的に嵌合させるために単にハンドルを再配置（例えば、回転）することによりスタンドヘッドまたは他の支持構造にしっかりと取り付けることができる。
【０００７】
本技術の実施形態は超音波イメージングシステムの文脈で本明細書に記載されているが、当該技術分野の当業者は他の医療機器（例えば、患者モニタ、除細動器、ＥＫＧマシン、ラップトップコンピュータ、タブレット、モバイルデバイス等）および／または固定可能なドッキングシステムを必要とする他のデバイスで使用できることを理解されるであろう。したがって、特に明記しない限り、本明細書に記載のシステムおよび方法は超音波イメージングシステムでの使用に限定されない。
【０００８】
本技術の様々な実施形態の完全な理解を提供するために所定の詳細が以下の説明および図１Ａ−図７に示されている。他の例では、超音波イメージングシステムおよび他の医療機器にしばしば関連付けられる周知の構造、材料、動作および／または構成要素は、本技術の様々な実施形態の説明を不必要に曖昧にすることを避けるために以下の開示において詳細に示されないか、または説明されない。しかしながら、当業者は、本技術が本明細書に記載の詳細のうち一または二以上によらずに、または他の構造、方法、構成要素等により実施できることを認識されるであろう。以下で使用される用語は、本技術の実施形態の所定の例の詳細な説明と併せて使用されている場合であっても、最も広く合理的な方法で解釈されるべきである。確かに所定の用語は以下で強調されることさえあるが、あらゆる制限された方法で解釈されることを意図した任意の用語はこの詳細な説明のセクションでそのように明確かつ具体的に定義される。
【０００９】
添付図面は本技術の実施形態を描写しており、その範囲を限定することを意図するものではない。様々な描写される要素の大きさは必ずしも一定の縮尺で描かれているわけではなく、これらの様々な要素は読みやすさを改善するために任意に拡大され得る。構成要素の詳細は、本発明をどのように作成し、使用するかについての完全な理解のためにそのような詳細が必要でない場合、構成要素の位置およびそのような構成要素間の所定の正確な接続等の詳細を除くために図においては抽象化され得る。
【００１０】
図に示されている詳細、寸法、角度および他の特徴は本開示の特定の実施形態の単なる例示である。したがって、他の実施形態は本発明の精神または範囲から逸脱することなく他の詳細、寸法、角度および特徴を有することができる。さらに、当業者は本発明のさらなる実施形態が以下で説明される詳細のうちいくつかによらずに実施できることを理解されるであろう。図においては、同一の参照番号は同一の、または少なくとも一般的に類似した要素を識別する。任意の特定の要素についての議論を容易にするために、参照番号の最上位桁は通常、その要素が最初に導入された図を指す。例えば、要素１１０は図１に最初に導入され、また図１を参照して論じられている。
【００１１】
図１Ａは、本技術の実施形態による、支持構造１２０に固定可能にドッキングすることのできる携帯用超音波イメージングデバイス１１０を有する超音波イメージングシステム１００の部分的に分解された等角図である。図１Ｂは、携帯用超音波イメージングデバイス１１０が支持構造１２０にドッキングされ、対応するデバイスハンドル１１２が固定されていないかまたはロック解除された位置にある同様の等角図であり、図１Ｃは、ユーザが見るためのディスプレイ１２４を配置するために携帯用超音波イメージングデバイス１１０が開かれた対応する等角図である。最初に図１Ａを参照すると、示される実施形態では、支持構造１２０は、携帯用超音波イメージングデバイス１１０を動作可能に受け、しっかりと保持するように構成されたスタンドヘッド１３０を有するスタンドである。（参照を容易にするために、携帯用超音波イメージングデバイス１１０を本明細書において「超音波デバイス１１０」、「デバイス１１０」等と呼ぶことがある。）スタンドヘッド１３０は支持体１５０（例えば、垂直部材）に取り付けられ、支持体１５０は次にベース１４０に取り付けられる。示される実施形態では、ベース１４０はスタンド１２０に可動性を提供するためにキャスター１１８を含むことのできる複数の外向きに延びる脚部を含む。
【００１２】
いくつかの実施形態では、スタンドヘッド１３０は支持体１５０の上部に枢動可能に結合することができるため、デバイス１１０の使用を容易にするために（矢印Ｒで示されるような）様々な角度で配置する（例えば、手動で配置する）ことができる。他の実施形態では、スタンドヘッド１３０はスタンド１２０の残りの部分に対して固定することができる。前述の特徴に加え、いくつかの実施形態では、スタンド１２０はまたイメージングデバイス１１０の使用を容易にし得る様々なアタッチメント、容器、構成要素等を含むことができる。そのような特徴は、例えば電力ストレージデバイス（例えば、バッテリー）、使い捨てハンドワイプ用のディスペンサ、手袋等、および／または他の有用なアイテムを含み得る。支持構造１２０は可動床スタンドであるが、本明細書に記載のハンドルシステムおよびその様々な実施形態は床スタンドでの使用に限定されるものではなく、したがって、壁に取り付けられた支持構造（例えば、ゼロフットプリントアーム）だけでなく他の可動式および固定式の床または壁に取り付けられた支持構造を含む事実上任意のタイプの支持構造で使用することができる。
【００１３】
いくつかの実施形態では、スタンドヘッド１３０はデバイス１１０を受けるように形成およびサイズ設定される凹部１３２を含む。スタンドヘッド１３０はまた凹部１３２に配置されたコネクタ１３４を含むことができる。コネクタ１３４は例えば、デバイス１１０の底面に設置された対応するコネクタ（図１Ａには示されていない）と嵌合して動作および／または再充電のためにデバイス１１０に電力を供給する、マルチピンコネクタとすることができる。スタンドヘッド１３０はまたその反対側に近接する凹部１３２の前縁部分から後方に突出する第一のタブ１３６ａおよび第二のタブ１３６ｂを含むことができる。
【００１４】
以下でさらに詳細に説明されるように、本技術のいくつかの実施形態に従ってイメージングデバイス１１０をスタンドヘッド１３０にしっかりと取り付けるため、図１Ａに示されるように、ハンドル１１２はデバイス１１０の後縁部分から外向きに延びるように最初に配置される。次に、デバイス１１０の前縁部分は、タブ１３６ａ、ｂがイメージングデバイス１１０の底面に近接する対応するソケット（図１Ａには図示されていない）に受けられるように凹部１３２に配置される。次にイメージングデバイス１１０は、図１Ｂに示されるように、それが凹部１３２に受けられるまでスタンドヘッド１３０に向かって下向きに回転される。いくつかの実施形態では、凹部１３２はスタンドヘッド１３０上のコネクタ１３４がイメージングデバイス１１０の下面上の対応するコネクタと正確に嵌合するように、適切なアライメントで受けるように形成およびサイズ設定される。図１Ｂに示されるように、イメージングデバイス１１０がスタンドヘッド１３０に取り付けられると、ハンドル１１２を下向きに回転させ、例えば一または二以上のラッチ機構の操作によりスタンドヘッド１３０にしっかりと嵌合させることができる。
【００１５】
図１Ｃに移ると、示される実施形態では、イメージングデバイス１１０はクラムシェル配置で底部または下側部分１１６に枢動可能に結合された上側部分１１４を含む。この配置により、上側部分１１４を下側部分から離れるように回転させ、従来の方法でイメージングデバイス１１０を開くことが可能になる。下側部分１１６は、例えば、キーパッド、タッチスクリーン、および／または従来の方法でのユーザによるイメージングデバイス１１０の動作のための他の機能および制御を有する制御パネル１２２を含むことができ、上側部分１１４はユーザが見るための対応する超音波画像を表示するためのモニタまたはディスプレイ１２４（例えば、ＬＣＤスクリーン）を含むことができる。
【００１６】
図２Ａは、本技術の実施形態による、ハンドル１１２が上側の位置（本明細書において「解除位置」とも呼ばれ得る）にあるイメージングデバイス１１０の上部背面の等角図であり、図２Ｂは、本技術の実施形態による、ハンドル１１２が下側の位置（本明細書において「嵌合位置」とも呼ばれ得る）にあるイメージングデバイス１１０の同様の図である。図２Ａに示されるように、示される実施形態では、上側部分１１４は上側ハウジング２１５を含み、下側部分２１６は背面パネル２１０を有する下側ハウジング２１１を含む。上側ハウジング２１５は背面パネル２１０に横方向に隣接して延在するヒンジ２１３により下側ハウジング２１１に枢動可能に結合されている。ハンドル１１２はイメージングデバイス１１０の下側部分２１６に枢動可能に結合された第一の端部２３０ａおよび第二の端部２３０ｂを含む。いくつかの実施形態では、ハンドル１１２はＤｅｉｒｉｎ（登録商標）、Ｔｒｉｔａｎ（登録商標）、および／または当該技術分野で知られる、他の適切に強く、耐久性のあるプラスチック材料から作成することができ、下側ハウジング２１１および上側ハウジング２１５は鋳造マグネシウム、アルミニウム等の金属鋳造物から作成することができる。他の実施形態では、ハンドル１１２および／または上側および下側ハウジング２１１および２１５は当該技術分野で知られる他の好適な材料から作成することができる。例えば、いくつかの実施形態では、ハンドル１１２は金属鋳造物（例えば、アルミニウム鋳造物）から作成することができ、上側および下側ハウジング２１１および２１５は射出成形プラスチックから作成することができる。
【００１７】
ユーザは容易にハンドル１１２を握り、イメージングデバイス１１０を例えばスタンドヘッド１３０（図１Ａ−図１Ｃ）から例えばデスクトップまたは他の水平面上で使用するための別の場所に輸送することができる。いくつかの実施形態では、水平面上でイメージングデバイス１１０を動作させる前に、ハンドル１１２を図２Ａに示される上側位置から図２Ｂに示される下側位置まで下向きに回転させることができる。ハンドル１１２を下げた状態でデスクトップまたは他の水平面にイメージングデバイス１１０を設置することによりイメージングデバイス１１０の背面部を表面から持ち上げるスタンドが提供される。これにより、動作中にデバイスから離れて空気をデバイス１１０により生成される熱に変換することを可能にすることのできるイメージングデバイス１１０の下の空間が提供される。さらに、前述の方法でイメージングデバイス１１０の平面部分を上向きに角度を付けることで、ユーザによる操作のために好適な方向で制御パネル１２２（図１Ｃ）を配置することができる。さらに、いくつかの実施形態では、イメージングデバイス１１０は、ハンドル１１２の位置を検出し、イメージングデバイス１１０の使用前にハンドル１１２が図２Ｂの下側の位置にない場合には警報信号を提供するセンサ（例えば、接触スイッチ、近接スイッチ等；図示されていない）を含むことができる。そのような信号は、例えば、センサに接続されたインジケータライトにより提供される視覚信号、および／またはブザーもしくは他の聴覚デバイスにより提供される可聴信号を含むことができる。信号はまたイメージングデバイス１１０の使用前にディスプレイ１２４を介して提供されるテキストメッセージとすることができる。そのような警報の一つの利点は、デスクトップまたは他の表面上のイメージングデバイス１１０の使用前にハンドル１１２が下側の位置にある可能性を増加させ、それにより動作中にデバイス１１０の背面部分をより好適な提供のために高くすることができることである。さらに、警報は、デバイス１１０が使用中にスタンドヘッド１３０から不注意でノックオフされる可能性のある、スタンドヘッド１３０に取り付けられたときにハンドル１１２が下側の位置にロックされていない、という事実をユーザに警告することができる。さらに別の実施形態では、センサはハンドル１１２が任意の所与の時間で扱うには熱すぎる場合にユーザに警告することができる。
【００１８】
図２Ｃは、ハンドル１１２に関連付けられた様々な特徴を例示する目的で背面パネル２１０（図２Ａ）が下側ハウジング２１１から取り外された状態のイメージングデバイス１１０の一部の拡大された背面等角図である。図２Ｃでは、ハンドル１１２は図２Ａにも示されるように上側の位置にある。示される実施形態では、ハンドル１１２の第一の端部２３０ａはヒンジブラケット２１４により所定の位置に保持されるピボットピン２１７によりイメージングデバイス１１０の下側部分１１６に枢動可能に結合される。いくつかの実施形態では、ハンドル１１２はピボットピン２１７から同等の半径方向距離にある第一の戻り止め２２４ａおよび第二の戻り止め２２４ｂを含むことができる。戻り止め２２４ａ、ｂはヒンジブラケット２１４のボア２２０内に動かせるように配置されたボール２１８（例えば、ボールベアリング）を受けるように構成されたハンドル１１２の表面の球形のくぼみとすることができる。ボール２１８はバイアス部材２２２（例えば、コイルスプリング）によりハンドル１１２の外面に対してバイアスされる。動作中、バイアス部材２２２は、ハンドル１１２とイメージングデバイス１１０の下側部分１１６との間の比較的小さな「傾斜」または相対的な動きでハンドル１１２を上側の位置にしっかりと保持するために、ボール２２０を第二の戻り止め２２４ｂに押し込むように促す。しかしながら、ユーザがハンドル１１２を図２Ｂに示される下側の位置に移動させたい場合、ユーザはハンドル１１２に下向きの力を加えてバイアス部材２２２に打ち勝つことができ、それによりボール２１８をボア２２０内に格納し、ハンドル１１２を下向きに回転させることができる。ハンドル１１２が下側の位置に到達すると、ユーザにより操作されるまでこの位置でハンドルを保持するためにボール２１８を第一の戻り止め２２４ａに落とす。
【００１９】
ハンドル１１２（図２Ａ）の反対側の第二の端部２３０ｂは図２Ｃを参照して上述された構成要素と少なくとも一般的に構造および機能が類似するハードウェアを使用して下側部分１１６に枢動可能に結合することができる。すなわち、第二の端部２３０ｂは第二のピボットピン２１７および第二のヒンジブラケット２１４により下側部分１１６に枢動可能に結合することができる。さらに、第二の端部２３０ｂはまたユーザに選択されるように、ハンドル１１２を上側または下側の位置に解放可能に保持するために図２Ｃに示されるボール／戻り止めの組合せを含むことができる。
【００２０】
いくつかの実施形態では、ハンドル１１２またはスタンドヘッド１３０のうち少なくとも一つはハンドル１１２が図２Ｂに示される下側の位置にある場合にイメージングデバイス１１０をスタンドヘッド１３０に固定するための嵌合機能を含むことができる。例えば、示される実施形態では、ハンドル１１２の第一の端部２３０ａはそこから外向きに突出する第一の突起２１２ａを含み、第二の端部２３０ｂは反対方向でそこから外向きに延在する第二の突起２１２ｂ（図２Ｃには示されていない）を含む。（突起２１２ａ、ｂはまた「こぶ（ｎｕｂｓ）」、「隆起（ｐｒｏｔｕｂｅｒａｎｃｅｓ）」、「スタッド（ｓｔｕｄｓ）」と呼ばれることもある。）突起２１２ａ、ｂは、例えば、約０．１インチから約０．５インチ、または約０．２５インチの距離でハンドル１１２から外向きに突出する円柱形状を有することができる。以下でさらに詳細に説明するように、ハンドル１１２が図２Ｂに示される下側の位置に手動で下向きに回転される際に突起２１２がスタンドヘッド１３０上の対応する特徴（例えば、ラッチ機構）を嵌合させ、それによりイメージングデバイス１１０をスタンドヘッド１３０に「ロック」するように構成することができる。
【００２１】
図２Ｄは、本技術の実施形態に従って構成された、イメージングデバイス１１０の下部前面等角図である。いくつかの実施形態では、下側ハウジング２１１は底面部分２３４に隣接する前面部分２３６を含む。前面部分２３６はその反対側に向かって配置された第一のソケット２３２ａおよび第二のソケット２３２ｂを含む。以下でさらに詳細に説明するように、ソケット２３２ａ、ｂはイメージングデバイス１１０がスタンドヘッド１３０にドッキングされる際にスタンドヘッド１３０上の対応するタブ１３６ａ、ｂ（図１Ａ）を受けるように構成される。イメージングデバイス１１０の下側部分１１６は凹部２２６に配置されたコネクタ２２８（例えば、マルチピンコネクタ）をさらに含む。図１Ａを参照して前述し、また以下でさらに詳細に説明するように、コネクタ２２８はイメージングデバイス１１０がスタンドヘッド１３０に取り付けられる際にスタンドヘッド１３０上のコネクタ１３４と嵌合するように構成される。
【００２２】
図３は、スタンドヘッド１３０の下部背面等角図であり、説明の目的でスタンドヘッド１３０がスタンド１２０の残りの部分とは別に示されている。示されている実施形態では、スタンドヘッド１３０は互いに嵌合する上側部分３４２ａおよび下側部分３４２ｂを有するハウジング３４０を含む。上側および下側部分３４２ａ、ｂは切欠きまたは凹部３４６を有するスタンドヘッド１３０の背面端部を画定する。凹部３４６はイメージングデバイス１１０がスタンドヘッド１３０の凹部１３２に配置され、ハンドル１１２が図２Ｂに示される下側位置に下向きに回転されるときにハンドル１１２を受けるように構成される。いくつかの実施形態では、ハウジング３４０の上側および下側部分３４２ａ、ｂはダイカストアルミニウム等の鋳造金属から製造することができる。他の実施形態では、上側および下側部分３４２ａ、ｂは、他の金属およびプラスチック材料、例えば射出成形プラスチック材料を含む、当該技術分野で知られる他の好適な材料から製造することができる。
【００２３】
示されている実施形態では、スタンドヘッド１３０は第一の端部３５５ａの下から凹部３４６の一方の側に配置された第一のラッチ機構３５０ａ、および第二の端部３５５ｂの下から凹部３４６の反対側に配置された第二のラッチ機構３５０ｂを含む。第一のラッチ機構３５０ａは第一の解放部材３５４（例えば、ノブ）に動作可能に結合された第一のラッチ部材３５２ａを含み、第二のラッチ機構３５０ｂは第二の解放部材（例えば、スライド可能なボタン）に動作可能に結合された第二のラッチ部材３５２ｂを含む。以下でさらに詳細に説明するように、ラッチ機構３５０ａ、ｂは、ハンドル１１２が図２Ｂに示される下側の位置に下向きに回転される際にハンドル１１２（図２Ｃ）上の突起２１２ａ、ｂとそれぞれ自動的に嵌合するように構成される。
【００２４】
図４Ａは、第一のラッチ機構３５０ａをより詳細に示しているスタンドヘッド１３０の一部の拡大された底部背面の等角図である。図４Ｂは、説明のためにスタンドヘッドハウジング３４０が取り外された状態の第一のラッチ機構３５０ａの上部等角図であり、図４Ｃは、第一のラッチ部材３５２ａの同様の断面上部等角図である。最初に図４Ａから図４Ｃを併せて参照すると、第一のラッチ部材３５２ａは第一の端部３５５ａの下の凹部３４６の側壁部分３４７から外向きに突出する傾斜面部分３５３を含む。第一のラッチ部材３５２ａの反対側の端部はスタンドヘッドハウジング３４０に対して固定されるストップ４７６により第一のラッチ部材３５２ａに対して圧縮されるバイアス部材４７２（例えば、コイルスプリング）を収容する細長いスロット４７４を含むことができる。いくつかの実施形態では、第一のラッチ部材３５２ａはロック機能をさらに含むことができる。例えば、第一のラッチ部材３５２ａは第一の固定具穴４８２ａ（例えば、第一のねじ穴）および第二の固定具穴４８２ｂ（例えば、第二のねじ穴）を含むことができる。以下でさらに詳細に説明するように、第一のラッチ部材３５２ａをラッチ位置またはラッチ解除位置のいずれかにロックするために、固定具穴４８２ａ、ｂはハウジング３４０の下側部分３４２ｂの対応する第一の固定具開口部４７８ａを通して挿入される第一の固定具４８０ａ（例えば、ねじ）を選択的に受け、嵌合するように構成することができる。
【００２５】
図４Ａおよび図４Ｂを併せて参照すると、いくつかの実施形態では、第一のラッチ機構３５０ａは第一の突起２１２ａの断面形状に相補的な傾斜面部分４６６および湾曲（例えば、円形）面部分４６４を有する第一のバイアス部材４６０ａをさらに含むことができる。傾斜面部分４６６は第一のラッチ部材３５２ａの傾斜面部分３５３のほぼ上に隣接して配置され、湾曲面部分４６４は傾斜面部分３５３のほぼ後ろに配置される。第一のバイアス部材４６０ａはハウジング３４０に固定されているか、あるいはしっかりと取り付けられたベース部分４６２をさらに含むことができる。バイアス部材４６０ａは例えばばね鋼から製造することができ、その結果傾斜面部分４６６および湾曲面部分４６４は第一の突起２１２ａ（図２Ｃ）により接触に応答して弾性的に歪む。
【００２６】
次に図４Ａ−図４Ｃを併せて参照すると、動作中、第一のラッチ部材３５２ａの傾斜面部分３５３はハンドル１１２が図２Ａに示される上側の位置から図２Ｂに示される下側の位置に下向きに回転する際にハンドル１１２の第一の突起２１２ａと接触するように構成される。第一の突起２１２ａが傾斜面部分３５３と接触すると、第一のラッチ部材３５２ａを矢印ＵＬの方向に外向きに駆動し、バイアス部材４７２を圧縮する。第一の突起２１２ａが傾斜面部分３５３を通過した後、バイアス部材４７２は第一のラッチ部材３５２ａを矢印Ｌの方向にその開始位置に戻すように駆動し、第一の突起２１２ａは第一のバイアス部材４６０ａの湾曲面部分４６４と接触するように移動する。第一の突起２１２ａがこの位置に移動すると、湾曲面部分４６４を部分的に邪魔にならないように歪ませ、第一のバイアス部材４６０ａにより加えられる結果として生じるばねの力は第一の突起２１２ａ、従ってハンドル１１２を下側の位置に保持するのに役立つ。
【００２７】
第一の突起２１２ａを開放してハンドル１１２を上側の位置に移動させるために、ユーザは第一の解放部材３５４をＵＬ方向にスライドさせることができる。ハンドル１１２が凹部３４６の外側に回転し、突起２１２ａが第一のラッチ部材３５２ａから離れると、ユーザは第一の解放部材３５４を解放し、バイアス部材４７２が第一のラッチ部材３５２ａをＬ方向に図４Ａに示される位置に戻すように駆動させることができる。いくつかの実施形態では、ユーザは第一のラッチ部材３５２ａを格納する位置またはラッチ解除位置にロックすることを望むことができ、嵌合しない場合はハンドル１１２を下側の位置に固定する。そうするために、ユーザは第一の解放部材３５４をＵＬ方向にスライドさせ、次に第一の固定具開口部４７８ａを通して第一の固定具４８０ａを挿入し、第一の固定具４８０ａを第一のラッチ部材３５２ａの第一のねじ穴４８２ａにねじ式で嵌合することができる。そうすることにより第一のラッチ部材３５２ａが格納する位置に保持され、ハンドル１１２の回転を下側の位置に、またはその位置から嵌合あるいは制限することができない。しかしながら、ラッチ部材３５２ａがラッチ解除位置にロックされている場合でも、ハンドル１１２が下側の位置にある場合は、ハンドル１１２は依然としてスタンドヘッド１３０と嵌合することに留意されるべきである。この理由はイメージングデバイス１１０が上向きに移動を開始してスタンドヘッド１３０から離れる場合に第一の端部３５５ａが第一の突起２１２ａを阻止することである。反対に、ユーザは例えばイメージングデバイス１１０がスタンドヘッド１３０から迅速に解除されて取り外されることを防ぐために、ハンドル１１２を下側の位置にロックすることを望むことができる。そうするために、ユーザは第一の固定具開口部４７８ａを通して第一の固定具４８０ａを挿入し、第一のラッチ部材３５２ａの第二のねじ穴４８２ｂと嵌合させることができる。そうすることにより、第一のラッチ部材３５２ａが図４Ａに示される位置にロックされ、ユーザがＵＬ方向に第一の解放部材３５４を移動させることを防ぐようになる。その結果、固定具４８０ａが第二のねじ穴４８２ｂから引き抜かれるまで、ユーザはイメージングデバイス１１０をスタンドヘッド１３０から取り外すことができなくなる。
【００２８】
図５は、本技術の実施形態に従って構成された、第二のラッチ機構３５０ｂを示すスタンドヘッド１３０かの底部背面等角図である。いくつかの実施形態では、第二のラッチ部材３５２ｂおよび第二のバイアス部材４６０ｂは、各パーツが互いの鏡像であることを除いて、上記で詳細に説明した第一のラッチ部材３５２ａおよび第一のバイアス部材４６０ａとそれぞれ同一であるか、または少なくとも構造および機能が類似し得る。そうでなければ、第二のラッチ部材３５２ｂおよび第二のバイアス部材４６０ｂはそれぞれ第一のラッチ部材３５２ａおよび第一のバイアス部材４６０ａと構造的および機能的に同等である。さらに、第二のラッチ機構３５０ｂはまた第二のラッチ部材３５２ｂに動作可能に結合され、第一のラッチ機構３５０ａの第一の解放部材３５４（図４Ａ）と同一の方法で（または少なくともほぼ同一の方法で）機能する解放機能（例えば、第二の解放機能３５６）を含む。しかしながら、いくつかの実施形態では、第二の解放機能３５６は第一の解放部材３５４（例えば、図４Ａに示されるようなハウジング３４０から外向きに突出するノブ、ハンドル等であり得る）よりもユーザにとって明白でないかまたは目立たない可能性がある。例えば、示される実施形態では、第二の解放部材３５６は、第二のラッチ部材３５２ｂを格納してハンドル１１２を下側の位置から上側の位置に移動させることを可能にするために図５に示される位置から矢印ＵＬの方向に手動で移動させることのできるグリップ機能を備えるスライド可能なボタンまたはタブである。
【００２９】
第一のラッチ機構３５０ａと同様に、いくつかの実施形態では、第二のラッチ機構３５０ｂはまたロック機能を含むことができる。例えば、示される実施形態では、第二のラッチ部材３５２ｂは、ハウジング３４０の下側の位置３４２ｂの第二の固定具開口部４７８ｂを通して第二の固定具４８０ｂ（例えば、ねじ）を挿入すること、および第二の嵌合部材３５２ｂの二つの固定具穴（図示されていない）のうち一つと固定具４８０ｂをねじ式で嵌合させることにより、ラッチ解除位置またはラッチ位置のいずれかにロックすることができる。より具体的には、図５に示されるラッチ位置に第二のラッチ部材３５２ｂをロックするために、オペレータは第二の固定具開口部４７８ｂを通して第二の固定具４８０ｂを挿入し、第二の嵌合部材３５２ｂの第一の隣接する固定具穴にねじ式で嵌合させることができる。これが行われる際にハンドル１１２が下側の位置にある場合、ハンドル１１２上の第二の突起２１２ｂは第二の嵌合部材３５２ｂの後ろの位置にロックされ、イメージングデバイス１１０はスタンドヘッド１３０にロックされる。ハンドル１１２を上向きに回転させることができ、またイメージングデバイス１１０をスタンドヘッド１３０から取り外すことができるようにユーザが第二のラッチ機構３５０ｂのロックを解除したい場合、ユーザは、固定具３８０ｂを取り外し、第二の解放部材３５６を矢印ＵＬの方向にスライドさせることによりそうすることができる。次にユーザが第二のラッチ機構３５０ｂを開口部またはラッチ解除位置にロックしたい場合、ユーザは解放部材３５６が矢印ＵＬの方向で完全に左にある場合に開口部４７８ｂを通して第二の固定具４８０ｂを再挿入し、第二の固定具４８０ｂを第二の嵌合部材３５２ｂの第二のねじ付き固定具穴（図示されていない）に嵌合させることによりそうすることができる。いくつかの実施形態では、第二の解放部材３５６を第一の解放部材３５４よりも明白でなくするかまたは目立たせなくすることにより、イメージングシステム１００のオペレータがイメージングデバイス１１０をスタンドヘッド１３０から取り外したい他の人物により容易に発見できない方法でイメージングデバイス１１０をスタンドヘッド１３０にロックするための手段を提供することができる。
【００３０】
図６Ａは、本技術の実施形態による、イメージングデバイス１１０をスタンドヘッド１３０に取り付ける初期段階を示す側面断面図である。図６Ｂおよび図６Ｃは、ハンドル１１２と第二のラッチ機構３５０ｂとの嵌合を示す拡大された側面断面図であり、図６Ｄは、本技術の実施形態による、ラッチ機構３５０ａ、ｂと完全に嵌合するハンドル１１２の対応する背面図である。最初に図６Ａを参照すると、最初にスタンドヘッド１３０上のタブ１３６ａ、１３６ｂ（図１Ａ）をイメージングデバイスの下側の部分１１６の対応するソケット（図２Ｄ）に挿入することによりイメージングデバイス１１０をスタンドヘッド１３０に取り付けることができる。次に、イメージングデバイス１１０は凹部１３２内に下向きに回転され、それによりスタンドヘッド１３０上の電気コネクタ１３４をイメージングデバイス１１０上の対応する電気コネクタ２２８に嵌合させる。次に図６Ｂおよび図６Ｃを併せて参照すると、イメージングデバイス１１０が凹部１３２に完全に据え付けられると、ユーザはハンドル１１２をピボットピン２１６ａ、ｂに関して下向きに回転させて図６Ｃに示される下側の位置に入れることができる。いくつかの実施形態では、ハンドル１１２は約４５度から約１２５度、または約８５度の角度で回転するように構成される。ハンドル１１２が下側の位置に近付くと、突起２１２ａ、ｂの端部は対応するラッチ部材３５２ａ、ｂの遠位端部分の傾斜面と接触し、関連するコイルスプリング４７２（図４Ｃ）のバイアス力に逆らって矢印ＵＬ（図４Ａおよび図５）の方向にそれらを外向きに駆動する。これにより、ハンドル１１２が下側の位置に移動する際にラッチ部材３５２ａ、ｂにより突起２１２ａ、ｂが通過することが可能になる。図６Ｃおよび図６Ｄに示されるように、突起２１２ａ、ｂがそれぞれラッチ部材３５２ａ、ｂを通過すると、ラッチ部材３５２ａ、ｂは対応する突起２１２ａ、ｂおよびハンドル１１２を下側の位置にトラップするために延在する位置またはラッチ位置に内向きに戻る。さらに、ハンドル１１２がこの位置にある場合、バイアス部材４６０ａ、ｂの湾曲面部分４６４はそれらをほぼ所定の位置に保持してハンドル１１２の振動を低減するために、対応する突起２１２ａ、ｂを受け、それらに逆らって弾性的に押す。
【００３１】
図７は、上記で詳細に説明したイメージングデバイス１１０およびスタンドヘッド１３０上を使用する方法７００のフロー図である。ブロック７０２において、ユーザは、彼らがイメージングデバイス１１０を使用したい方法を選択することができる。例えば、ラッチ部材３５２ａ、ｂの両方を格納し、対応する固定具４８０ａ、および４８０ｂ（例えば、図４Ａおよび図５を参照）を使用してそれらをラッチ解除位置にロックすることにより、ユーザは「グラブアンドゴー（ｇｒａｂ ａｎｄ ｇｏ）」構成でイメージングデバイス１１０を使用することを選択することができる。この構成によりユーザはイメージングデバイス１１０をスタンドヘッド１３０上に動作可能に配置し、ラッチ部材３５２ａ、ｂを嵌合させることなくハンドル１１２を下側の位置に下向きに回転させることが可能になる。しかしながら、この構成においてハンドル１１２がラッチ部材３５２ａ、ｂと嵌合していない場合でも、ハンドル１１２はスタンドヘッド１３０の凹部３４６の対応する端部３５５ａ、ｂの下に延在する突起２１２ａ、ｂによりスタンドヘッド１３０と依然として嵌合していることに留意されるべきである（図４Ａおよび図５）。突起２１２ａ、ｂがこの位置にある場合、対応する端部３５５ａ、ｂは、イメージングデバイス１１０がスタンドヘッド１３０から離れ始めた場合に突起２１２ａ、ｂが通過するのを阻止する。したがって、イメージングデバイス１１０は依然としてスタンドヘッド１３０に固定され、この構成で外れるのを防ぐ。次にユーザはイメージングデバイス１１０がスタンドヘッド１３０にドッキングされている間にイメージングデバイス１１０を使用することができる。しかしハンドル１１２が下側の位置でロックされないため、ユーザはハンドル１１２をすばやく「掴み」、それを上側の位置に回転させ、イメージングデバイス１１０をスタンドヘッド１３０から取り外してそのデバイスが必要な別の場所に「移動する」ことができる。
【００３２】
あるいは、ユーザがハンドル１１２を下側の位置に移動させると、ユーザはハンドル１１２がスタンドヘッド１３０に自動的にラッチされる「安全な」構成でイメージングデバイス１１０を使用することを望み得る。いくつかの実施形態では、ユーザは第二のラッチ部材３５２ｂを手動で格納し第二の固定具４８０ｂでラッチ解除位置にロックするが、固定具４８０ａを第一のラッチ部材３５２ａで嵌合しないことによりこれを達成することができ、上記で詳細に説明したようにハンドル１１２が下側の位置に回転すると第一のラッチ部材３５２ａは第一の突起２１２ａと自動的に嵌合する。ハンドル１１２がこのように第一のラッチ部材３５２ａと嵌合すると、上記で説明したように第一のラッチ部材３５２ａを第一の突起２１２ａから離し、ハンドル１１２を上向きに回転させることによりユーザが手動でハンドル１１２を解除するまでスタンドヘッド１３０から取り外すことができないため、イメージングデバイス１１０は「安全な」構成にある。
【００３３】
別の代替案として、ユーザはイメージングデバイス１１０がスタンドヘッド１３０に「ロック」されている「盗難防止」構成で使用することを望み得る。いくつかの実施形態では、これは、上記で説明したようにハンドル１１２がラッチ機構３５０ａ、ｂにより嵌合された後、第一のラッチ部材３５２ａを第一の固定具４８０ａ（図４Ａ）で閉位置またはラッチ位置にロックすること、および／または第二のラッチ部材３５２ｂを第二の固定具４８０ｂ（図５）でラッチ位置にロックすることにより達成することができる。この構成では、固定具４８０ａ、ｂの両方が取り外され、ラッチ部材３５２ａ、ｂが手動で格納され、ハンドル１１２がスタンドヘッド１３０から回転させて離されるまで、イメージングデバイス１１０をスタンドヘッド１３０から取り外すことができない。
【００３４】
決定ブロック７０４において、ユーザはイメージングデバイス１１０をどのように使用したいかを決定することができ、ブロック７０６において、ユーザはラッチ機構３５０ａ、ｂをスタンドヘッド１３０上に適切な方法で配置する。したがって、本明細書に記載のハンドル１１２およびラッチ機構３５０ａ、ｂの様々な特徴により本技術によるいくつかの異なる便利な構成でイメージングデバイス１１０を使用することが可能になることを理解されたい。
【００３５】
特徴、利点、または同様の言葉に対する前述の説明全体での言及は、本技術により実現され得る特徴または利点の全てが本発明の任意の単一の実施形態であるべきであるか、またはその中にあることを意味するものではない。むしろ、特徴および利点を指す言葉は一実施形態に関連して説明される特定の特徴、利点、または特性が本技術の少なくとも一つの実施形態に含まれることを意味すると理解される。したがって、本明細書全体にわたる特徴および利点、ならびに同様の言葉の議論は必ずしもそうではないが、同一の実施形態を参照し得る。さらに、本技術の説明される特徴、利点および特性は一または二以上の実施形態において任意の好適な方法で組み合わせられ得る。関連する技術の当業者は本技術が特定の実施形態の特定の特徴または利点のうち一または二以上を用いることなく実施することができることを認識されるであろう。他の例では、本技術の全ての実施形態に存在しない可能性の所定の実施形態ではさらなる特徴および利点は認識され得る。
【００３６】
添付の出願書類に記載され得るものを含む上記の特許および出願ならびに他の参考文献は参照により本明細書に組み入れられる。本発明の態様は必要に応じて本発明のさらなる実施形態を提供するために上記の様々な参考文献のシステム、機能、および概念を用いるように修正することができる。
【００３７】
文脈において別段の定めがない限り、説明および特許請求の範囲の全体を通じて、「備える」、「備えている」、等の言葉は排他的または網羅的な意味ではなく、包括的な意味、すなわち、「含むが、これに限定されない」という意味で解釈されるべきである。本明細書で使用されるように、「接続された」、「結合された」またはその任意の変形の用語は、二以上の要素間の直接または間接の任意の接続または結合を意味し、要素間の結合または接続は物理的、論理的、またはそれらの組合せとすることができる。さらに、「本明細書において」、「上記で」、「以下で」、および同様の意味の言葉は、本出願において使用される場合、本出願の任意の特定の部分ではなく、本出願全体を指す。文脈が許す場合、単数形または複数形を使用する上記の詳細な説明における単語はそれぞれ複数形または単数形を含むこともできる。「または」という用語は二以上の項目のリストを参照し、リスト内の任意の項目、リスト内の全ての項目、およびリスト内の項目の任意の組合せの単語の解釈の全てを網羅する。
【００３８】
本発明の例および実施形態の上記の詳細な説明は、包括的であること、または本発明の上記の開示されてた正確な形態に限定することを意図するものではない。本発明の特定の例は例示の目的で上記において説明されているが、関連する技術の当業者が認識するように、本発明の範囲内で様々な同等の修正が可能である。本明細書で提供される本発明の教示は必ずしも上記のシステムではなく、他のシステムに適用することができる。本発明のさらなる実施形態を提供するために、上記の様々な例の要素および行為を組み合わせることができる。本発明のいくつかの代替の実施形態は上記の実施形態にさらなる要素を含むだけでなく、より少ない要素を含むこともできる。本明細書に記載される任意の特定の数字は単なる例であり、代替の実施形態では異なる値または範囲を用いる場合がある。
【００３９】
上記より、本発明の特定の実施形態は例示の目的で本明細書に記載されているが、本発明の様々な実施形態の精神および範囲から逸脱することなく様々な修正を行うことができることを理解されたい。一般に、以下の特許請求の範囲において使用される用語は、上記の詳細な説明のセクションがそのような用語を明示的に定義しない限り、本発明を本明細書に開示される特定の例に限定すると解釈されるべきでない。本発明の実際の範囲は開示された例だけでなく特許請求の範囲に基づいて本発明を実施または実装する全ての同等の方法も包含する。したがって、本発明は添付の特許請求の範囲による場合を除いて限定されない。
【００４０】
本発明の所定の態様は所定の請求項において以下で示されているが、出願人は任意の数の請求項において本発明の様々な態様を考慮している。したがって、出願人は本出願または継続出願のいずれかにおいてそのようなさらなる請求項を追及するために、本出願を行った後にさらなる特許請求の範囲の追求する権利を留保する。
【図１Ａ】
2021533939.tif 000003
【図１Ｂ】
2021533939.tif 000004
【図１Ｃ】
2021533939.tif 000005
【図２Ａ】
2021533939.tif 000006
【図２Ｂ】
2021533939.tif 000007
【図２Ｃ】
2021533939.tif 000008
【図２Ｄ】
2021533939.tif 000009
【図３】
2021533939.tif 000010
【図４Ａ】
2021533939.tif 000011
【図４Ｂ】
2021533939.tif 000012
【図４Ｃ】
2021533939.tif 000013
【図５】
2021533939.tif 000014
【図６Ａ】
2021533939.tif 000015
【図６Ｂ】
2021533939.tif 000016
【図６Ｃ】
2021533939.tif 000017
【図６Ｄ】
2021533939.tif 000018
【図７】
2021533939.tif 000019
【国際調査報告】
2021533939.tif 000020
2021533939.tif 000021